(57)【要約】  【課題】  ポリエステル、アクリルなどの合成繊維、羊毛などの天然繊維、これらの混合した混合綿をすし捲き状にした丸棒を重ねた敷き蒲団とすること。【解決手段】  ポリエステル、アクリルなどの合成繊維、羽毛、羊毛、獣毛などの動物繊維、これら繊維を混綿した綿地をすし巻き状に丸めて巻回して蒲団幅方向の長さの短丸棒２と縦方向の長さの長丸棒３とを作り、この短丸棒を横方向に隣接して配列して横棒層を形成すると共にこの横棒層の上に前記長丸棒を縦方向に隣接して配列して縦棒層を形成し、横棒層と縦棒層とを重合し、全体を織布、不織布、合成綿、天然綿で製造された外皮シート４で被覆してなる構成である。【選択図】          図１
2005253527.tif 000002
【特許請求の範囲】
【請求項１】
ポリエステル、アクリルなどの合成繊維、羽毛、羊毛、獣毛などの動物繊維またはこれら繊維を混綿した薄層を所定の長さのすし巻き状に丸めて蒲団幅方向の長さのものと縦方向の長さの短、長丸棒を作り、短丸棒を横方向に隣接して配列して横棒層を形成すると共にこの横棒層に重ねて前記長丸棒を縦方向に隣接して配列して縦棒層を形成し、横棒層と縦棒層とを重合し、全体を織布、不織布、合成綿、天然綿などで製造された外皮シートで被覆してなることを特徴とする敷き蒲団。
【請求項２】
ポリエステル、アクリルの合成繊維、羽毛、羊毛、獣毛などの動物繊維またはこれら繊維の混綿からなる薄層をすし巻き状に丸めて巻回して長さ５０〜１８０ｃｍの短丸棒と長さ１２０〜２５０ｃｍの長丸棒とを作り、この短丸棒を横方向に隣接して配列して横棒層を形成すると共にこの横棒層に前記長丸棒を縦方向に隣接して配列して縦棒層を形成し、横棒層と縦棒層とを重合してなることを特徴とする敷き蒲団。
【請求項３】
前記短、長丸棒の直径が１〜５ｃｍであることを特徴とする請求項１または請求項２に記載の敷き蒲団。
【請求項４】
ポリエステル、アクリルの合成繊維、羽毛、羊毛、獣毛などの動物繊維またはこれら繊維の混綿からな薄層を所定の長さですし巻き状に丸めて巻回して長さ５０〜１８０ｃｍの短丸棒と長さ１２０〜２５０ｃｍの長丸棒とを作り、この短丸棒を横方向に隣接して配列して横棒層を形成すると共にこの横棒層に前記長丸棒を縦方向に隣接して配列して縦棒層を形成し、横棒層と縦棒層とを重合して、その表裏両面に合成綿、天然綿で製造された綿シートを配置して必要に応じてその外側を外布で被覆してあることを特徴とする敷き蒲団。
【発明の詳細な説明】
【技術分野】
【０００１】
この発明は、蒲団としての弾性力を長期間に維持し、吸湿性に優れる敷き蒲団に関する。
【背景技術】
【０００２】
一般に使用されている寝具において、通常は綿繊維を所定の厚さで敷きつめたシートを数枚重ねて織布で全体を包んで蒲団を形成してある。そのため蒲団綿が新しい間は弾性に富み眠り心地がよく衛生的である。しかし、長期間使用するにあたり、弾性が低下し、内部の空気層が減少し、蒲団が薄くなると共に身体の重みにより窪みを生じ、変形することがあって、そのため眠り心地が悪くなっていた。また、蒲団の中の綿が収縮して吸湿性、通気性が悪くなっていた。
【０００３】
このような蒲団綿の欠点を改善するために古くからいろいろ提案されている。例えば、特許文献１で天然木材からなる棒状体を縦列に複数個配列し、これらを横紐で連結してマット表面の変形を防止するものが知られている。また、綿シートをすし巻き状に巻いた短い丸棒を横に配列して長期間の使用にも収縮しない耐久性のよい蒲団が特許文献２として提案されている。更に特許文献３には上層綿部と下層綿部との間発泡体によって形成されたすし巻き状の丸棒を配置したものが記載されている。
【０００４】
【特許文献１】特開２０００−２３７２７６号公報
【特許文献２】実公昭５７−５６７６４号公報
【特許文献３】特開２００１−１１２５８５号公報
【０００５】
特許文献１は木材など丸棒を立てに配列してマッサージ効果をあげるためであり、横方向には縦棒がほぐれないように紐で連結したもので、丸棒自体は弾力性の無いものである。特許文献２に記載の蒲団は、空気小ふくろを有する綿シートをすし巻き状に巻いてあり、この丸棒を横に多数配列してあるので，身体の形状に応じて変形するおそれがあった。特許文献３の蒲団は綿層の中間に丸棒を芯材として多数隣接して配置してあるが、縦方向には配列されていないために背面の変形を抑制することはできなかった。
【発明の開示】
【発明が解決しようとする課題】
【０００６】
従来の蒲団における長期間の使用によって敷き蒲団全体が硬くなることがあった。また、身体の凹凸（体形）に応じて変形する恐れがあった。これらを改善するために本発明は、縦方向のみならず横方向の変形を防止する敷き布団を提供するもので、特に、吸湿性を改善したものである。
本発明の課題は、ポリエステル、アクリルなどの合成繊維、羊毛、羽毛、獣毛などの動物繊維からなる綿、又はこれらの混合した混合綿を所定の厚さ、幅に引き伸ばして捲回してらせん状に巻いた丸棒を配列した吸湿性、通気性に優れる敷き蒲団を提供することである。
本発明の課題は、縦丸棒と横丸棒とをクロスして重合して通気性がよく、長期間にわたる使用にも収縮などの変形を防止し、吸湿性に優れた敷き蒲団を提供することである。
【課題を解決するための手段】
【０００７】
この発明の前記課題は、ポリエステル、アクリルなどの合成繊維、羽毛、羊毛、獣毛などの動物繊維またはこれら繊維を混綿した薄層を所定の長さのすし巻き状に丸めて蒲団幅方向の長さのものと縦方向の長さの短、長丸棒を作り、短丸棒を横方向に隣接して配列して横棒層を形成すると共にこの横棒層に重ねて前記長丸棒を縦方向に隣接して配列して縦棒層を形成し、横棒層と縦棒層とを重合し、全体を織布、不織布、合成綿、天然綿などで製造された外皮シートで被覆してなる敷き蒲団の構成によって達成できる。
【０００８】
本発明の前記課題は、ポリエステル、アクリルの合成繊維、羽毛、羊毛、獣毛などの動物繊維またはこれら繊維の混綿からなる薄層をすし巻き状に丸めて巻回して長さ５０〜１８０ｃｍの短丸棒と長さ１２０〜２５０ｃｍの長丸棒とを作り、この短丸棒を横方向に隣接して配列して横棒層を形成すると共にこの横棒層に前記長丸棒を縦方向に隣接して配列して縦棒層を形成し、横棒層と縦棒層とを重合してなる敷き蒲団の構成によって達成できる。
【０００９】
また、本発明の敷き蒲団は短丸棒と長丸棒とを配列する方向をクロスして重ねて縦棒層と横棒層を重ね、その表裏両側面に綿、混合綿のシートを配置してなる敷き蒲団の構成によって達成できる。また、これら綿層、丸棒層，綿層の全体を外布シートで包んだ敷き蒲団の構成によっても達成できる。
【００１０】
本発明の敷き蒲団に使用する丸棒は、合成樹脂などから作られた硬棒、ポリエステル、ポリプロピレンからなる細紐を捩じって製造した細い棒などを芯材として所定の長さで回転して表面に綿繊維を付着させながら太く、捲いて丸棒に形成することができる。このとき強く綿繊維を引っ張りながら捲回すると、芯部分が硬く、表面が柔らかい（ふわふわした状態）丸棒が製造できる。
【発明の効果】
【００１１】
また、本発明の敷き蒲団における丸棒体はポリエステルやアクリルなどの合成繊維、羊毛、羽毛などの繊維またはこれらの混合綿から成る綿地をすし巻き状に巻いて丸棒を形成した状態でらせん状なるので軸線を中心とする円筒内で繊維が工作して弾性力が著しく増強し、丸棒が圧縮されながら体温や湿気を受けても収縮することがない。
【００１２】
本発明の敷き蒲団は横棒層と縦棒層とがクロスしてあるから体重の重さに関係なく，蒲団の変形を防止できる。また丸棒がクロスしているので通気性に優れ、急速な弾力の低下を防止できるばかりでなく、綿繊維が交差しているので、合成樹脂の綿であっても吸湿性に特に優れている。
また、芯材の細い棒を回転しながら表面に綿繊維を付着させ数層の綿層をすし巻き状に形成した丸棒を使用すると、表面が柔らかく芯部分が硬くなり、この丸棒を配列することにより敷き蒲団として最適の蒲団が製造できる。
【発明を実施するための最良の形態】
【００１３】
本発明に係る敷き蒲団について図面に示す実施形態に基づいて詳細に説明する。
図１は本発明敷き蒲団の１実施形態を示す一部切欠斜視図である。図２は本発明の敷き蒲団に使用する丸棒の斜視図である。図３は本発明蒲団の１実施形態の一部切欠斜視図である。
【００１４】
ポリエステル、アクリルなどの合成繊維、羽毛、羊毛などの天然繊維の綿または前記合成繊維と前記天然繊維との混合綿など、例えば、羊毛とポリエステルの５０/５０の混綿、綿とポリエステルの５０/５０の混綿の所定の厚さで引き延ばし、すし巻き状に巻いて丸棒を形成する。また、最近多く使用されるようになった獣毛、例えば、キャメル、カシミヤ、アルパカなどの獣毛を使用してもよく、これら獣毛と羊毛との混合した綿、獣毛とポリエステルとの混綿などを使用して丸棒を形成してもよい。これら動物繊維の使用に際して消毒，洗浄を十分に行うことは当然である。
【００１５】
これら丸棒は直径約０.５〜５.０ｃｍくらいに型造して５０〜１８０ｃｍ位の蒲団幅の長さの短丸棒２及び１２０〜２５０ｃｍの蒲団の長さの長丸棒３を作る（図２）。この丸棒の末端面を加熱してヒートシールする。または外周に紐や帯などでぐるぐるまきにして丸棒を形成する。
このようにして造られた長丸棒３を隣接して複数本配列して蒲団幅に形成して縦棒層を形成し、この縦棒層の上に短丸棒２を隣接して蒲団の長さに複数配列して横棒層を形成する。この状態でベットなどに敷き詰めて表面にシーツを被せて使用することができる。
【００１６】
また、この横棒層と縦棒層との２層の全体を不織布、織布などからなる外布４で被覆して蒲団１を形成する（図１参照）。
本発明の敷き蒲団に使用する丸棒は，綿棒のような芯材を回転して表面に数層の綿地をすし捲き状に形成して製造することができる。また、綿地シートをすし捲き状に丸めて末端部分を加熱溶着してほぐれないようにして形成してもよい。このヒートシールをせずに、この丸棒の周面を紐や帯で捲回してつくることもできる。
【００１７】
このように造られた蒲団１は、丸棒間の空隙が多数でき、通気性に富んで、通常は吸湿性もない合成繊維綿であってもクロス状に重ねられているので通気性に富み、その上、多数の空隙を生じているので吸湿性も非常によい蒲団ができる。しかも縦棒層と横棒層が重ねられているので、長期間の使用にも変形の懸念は全くない。
【００１８】
また、図３に示すように縦棒層の上に横棒層を重ねて形成した後、これらを所定の厚さに型造りした綿シート５でくるみ、これら全体を不織布、織布などからなる外布４で被覆して蒲団１を作り、通常の敷き蒲団として使用する。
本発明の他の実施形態として、図４に示すような縦・横に配列した丸棒の両面に所定の厚さの綿地層を形成したものでもよい。
【図面の簡単な説明】
【００１９】
【図１】本発明敷き蒲団の１実施形態を示す一部切欠斜視図である。
【図２】本発明の敷き蒲団に使用する丸棒の斜視図である。
【図３】本発明蒲団の１実施形態の一部切欠斜視図である。
【図４】本発明の敷き蒲団の他の実施形態を示す側面図である。
【符号の説明】
【００２０】
１    蒲団
２    短丸棒
３    長丸棒
４    外布
５    綿シート
【図１】
2005253527.tif 000003
【図２】
2005253527.tif 000004
【図３】
2005253527.tif 000005
【図４】
2005253527.tif 000006